(57)【要約】      （修正有）【課題】輸送過程では平面構造であり、空間利用率を向上して輸送コストを大幅に低下させ、折畳み過程は簡単であり、使用時には、３次元のパッケージボックスを即座に合成して物品を収納でき、同時に、寸法は、収納物品に応じてカスタマイズでき、パターン、ロゴ、その他の関連コンテンツを印刷することもできる折畳み式パッケージボックスを提供する。【解決手段】長板及び長板に接続された二つの側板２０を含む折畳み式パッケージボックスであって、平行に設置する第１折り目１１、第２折り目１２、第３折り目１３、及び第４折り目１４が長板の長さ方向に沿って順に設けられ、第１折り目、第２折り目、第３折り目、第４折り目が、それぞれ長板を前板１５、ボックス底１６、後板１７、頂板１８、及び蓋板１９に分割し、前板、ボックス底、後板、頂板、蓋板、及び二つの側板により一つの封止するチャンバーを形成する。【要約図】図２【実用新案登録請求の範囲】
【請求項１】
長板及び前記長板に接続された二つの側板を含む折畳み式パッケージボックスであって、
平行に設置する第１折り目、第２折り目、第３折り目、及び第４折り目が前記長板の長さ方向に沿って順に設けられ、
前記第１折り目、前記第２折り目、前記第３折り目、前記第４折り目が、それぞれ前記長板を前板、ボックス底、後板、頂板、及び蓋板に分割し、
二つの前記側板がそれぞれ前記ボックス底における対向する両側に設置され平行に設置する第５折り目及び第６折り目が形成され、
前記側板には、第７折り目、第８折り目、第９折り目、及び第１０折り目が設けられ、
前記第７折り目及び前記第８折り目が、前記側板の１側を第１接続部及び第２接続部に分割し、
前記第２接続部が前記前板に接続され、
前記第９折り目及び前記第１０折り目が、前記側板の他側を第３接続部及び第４接続部を分割し、
前記第４接続部が前記後板に接続され、
前記第１折り目、前記第２折り目、前記第３折り目、前記第４折り目、前記第５折り目、前記第６折り目、前記第７折り目、前記第８折り目、前記第９折り目、及び前記第１０折り目に沿って折り曲げることにより、前記前板、前記ボックス底、前記後板、前記頂板、前記蓋板、及び二つの側板を一つの封止するチャンバーを形成させる、ことを特徴とする折畳み式パッケージボックス。
【請求項２】
前記第７折り目が前記第９折り目に平行に設置され前記第５折り目に垂直に接続される、ことを特徴とする請求項１に記載の折畳み式パッケージボックス。
【請求項３】
前記第８折り目は、前記側板が縁コーナに沿って折り曲げてなり、
前記第８折り目の１端が、前記第７折り目と前記第５折り目との接続部に接続される、ことを特徴とする請求項２に記載の折畳み式パッケージボックス。
【請求項４】
前記第８折り目は、前記側板が縁コーナに沿う１３５度の折り目である、ことを特徴とする請求項３に記載の折畳み式パッケージボックス。
【請求項５】
前記第１０折り目と前記第８折り目とが、前記側板の中心線を鏡像として対称的に設置される、ことを特徴とする請求項４に記載の折畳み式パッケージボックス。
【請求項６】
前記第５折り目の延長線が、前記第１折り目に垂直に接続される、ことを特徴とする請求項２に記載の折畳み式パッケージボックス。
【請求項７】
前記前板の寸法サイズは、前記後板、前記蓋板の寸法サイズと同様であり、
前記ボックス底の寸法サイズは、前記頂板の寸法サイズと同様である、ことを特徴とする請求項１に記載の折畳み式パッケージボックス。
【請求項８】
前記側板の幅は、前記前板の幅と等しく、
前記側板の長さは、前記ボックス底の長さと等しい、ことを特徴とする請求項７に記載の折畳み式パッケージボックス。
【請求項９】
前記第２接続部と前記前板との接続は、接着剤やステッカーにより接続され、
前記第４接続部と前記後板との接続は、接着剤、磁石、ステッカー、面ファスナーの何れか一つを採用し、
二つの前記側板と前記ボックス底との接続は、接着剤、磁石、ステッカー、面ファスナーの何れか一つを採用する、ことを特徴とする請求項１に記載の折畳み式パッケージボックス。
【請求項１０】
前記蓋板が前記前板の前面に接続され、
前記蓋板と前記前板との接続は、接着剤、磁石、ステッカー、接着剤バックルにより接続される、ことを特徴とする請求項１に記載の折畳み式パッケージボックス。
【考案の詳細な説明】
【技術分野】
【０００１】
本実用新案は、カートン、布箱及び様々な合成材料で組み合わせた各種のパッケージボックス包装の技術的分野に関し、特に折畳み式パッケージボックスに関する。
【背景技術】
【０００２】
伝統的なパッケージボックスは、3次元の構造であり、輸送の過程において、多くの空間を占有し、重い圧力に耐えることができないため、保管中に蓄積された高さが制限され、輸送コストや保管コストが高く、出荷時の高い損傷率などの欠点を引き起こす。
【考案の概要】
【０００３】
これを鑑みて、上記の伝統的な問題を解决するために、現在の伝統技術に存在する問題について、折畳み式パッケージボックスを提供する必要がある。
【０００４】
本実用新案の目的を実現するために、本実用新案は以下の技術案を採用する。
長板及び前記長板に接続された二つの側板を含む折畳み式パッケージボックスであって、平行に設置する第１折り目、第２折り目、第３折り目、及び第４折り目が前記長板の長さ方向に沿って順に設けられ、前記第１折り目、前記第２折り目、前記第３折り目、前記第４折り目が、それぞれ前記長板を前板、ボックス底、後板、頂板、及び蓋板に分割し、二つの前記側板がそれぞれ前記ボックス底における対向する両側に設置され平行に設置する第５折り目及び第６折り目が形成され、前記側板には、第７折り目、第８折り目、第９折り目、及び第１０折り目が設けられ、前記第７折り目及び前記第８折り目が、前記側板の１側を第１接続部及び第２接続部に分割し、前記第２接続部が前記前板に接続され、前記第９折り目及び前記第１０折り目が、前記側板の他側を第３接続部及び第４接続部を分割し、前記第４接続部が前記後板に接続され、前記第１折り目、前記第２折り目、前記第３折り目、前記第４折り目、前記第５折り目、前記第６折り目、前記第７折り目、前記第８折り目、前記第９折り目、及び前記第１０折り目に沿って折り曲げることにより、前記前板、前記ボックス底、前記後板、前記頂板、前記蓋板、及び二つの側板を一つの封止するチャンバーを形成させる、ことを特徴とする折畳み式パッケージボックス。
【０００５】
これらの一つの実施例において、前記第７折り目が前記第９折り目に平行に設置され前記第５折り目に垂直に接続される。
【０００６】
これらの一つの実施例において、前記第８折り目は、前記側板が縁コーナに沿って折り曲げてなり、前記第８折り目の１端が、前記第７折り目と前記第５折り目との接続部に接続される。
【０００７】
これらの一つの実施例において、前記第８折り目は、前記側板が縁コーナに沿う１３５度の折り目である。
【０００８】
これらの一つの実施例において、前記第１０折り目と前記第８折り目とが、前記側板の中心線を鏡像として対称的に設置される。
【０００９】
これらの一つの実施例において、前記第５折り目の延長線が、前記第１折り目に垂直に接続される。
【００１０】
これらの一つの実施例において、前記前板の寸法サイズは、前記後板、前記蓋板の寸法サイズと同様であり、前記ボックス底の寸法サイズは、前記頂板の寸法サイズと同様である。
【００１１】
これらの一つの実施例において、前記側板の幅は、前記前板の幅と等しく、前記側板の長さは、前記ボックス底の長さと等しい。
【００１２】
これらの一つの実施例において、前記第２接続部と前記前板との接続は、接着剤やステッカーにより接続され、前記第４接続部と前記後板との接続は、接着剤、磁石、ステッカー、面ファスナーの何れか一つを採用し、二つの前記側板と前記ボックス底との接続は、接着剤、磁石、ステッカー、面ファスナーの何れか一つを採用する。
【００１３】
これらの一つの実施例において、前記蓋板が前記前板の前面に接続され、前記蓋板と前記前板との接続は、接着剤、磁石、ステッカー、接着剤バックルにより接続される。
【００１４】
上記の折畳み式パッケージボックスの構造は、簡単であり、輸送の過程において、このパッケージボックスは平面構造であり、パッケージボックスの空間利用率を向上することができ、パッケージボックスの輸送コストを大幅に低下させ、折畳み過程は簡単であり、効果がよく、パッケージボックスを使用する時に、3次元のパッケージボックスを即座に合成でき、物品を収納することに用い、同時に、パッケージボックス寸法は、収納している物品の寸法に応じてカスタマイズでき、パターン、ロゴ、その他の関連コンテンツを印刷することもできる。
【図面の簡単な説明】
【００１５】
【図１】図１は、本実用新案の最適な実施例における折畳み式パッケージボックスの3次元の概念図である。
【図２】図２は、図１に示されたパッケージボックスの展開図である。
【図３】図３は、図１に示されたＡ箇所の拡大図である。
【図４】図４は、図１に示されたパッケージボックスの側面図である。
【図５】図５は、図３に示されたＢ箇所の拡大図である。
【図６】図６は、図１に示されたパッケージボックスの底面図である。
【考案を実施するための形態】
【００１６】
本実用新案を理解することに利便させるために、以下、関連図面を参照して本実用新案をより詳細に説明する。図面において本実用新案の最適な実施例を示している。しかし、本実用新案は、多くの異なる形式により実現することができ、本明細書に説明の実施例に限られない。逆に、これらの実施形態を提供するのは、本実用新案の開示についての理解に対してより徹底的かつ包括的である。
【００１７】
なお、ある要素が別の要素に「固定」されていると呼ばれる場合、その要素は他の要素に直接存在するか、介在する要素が存在することもある。ある要素が別の要素に「接続」されると見なされる場合、その要素は他の要素に直接接続されるか、または介在する要素が存在する場合がある。
【００１８】
別に定義されない限り、本明細書で使用されるすべての技術用語および科学用語は、本実用新案が属する技術分野の当業者によって一般に理解されるのと同じ意味を有する。本実用新案の説明で使用される用語は、具体的な実施形態を説明することを目的とし、本考案を限定することを意図するものではない。
【００１９】
図１から図６を参照して、これは、本実用新案の最適な実施例の折畳み式パッケージボックスであり、長板１０及び上記長板１０に接続された二つの側板２０を含む折畳み式パッケージボックスであって、平行に設置する第１折り目１１、第２折り目１２、第３折り目１３、及び第４折り目１４が上記長板１０の長さ方向に沿って順に設けられ、上記第１折り目１１、上記第２折り目１２、上記第３折り目１３、上記第４折り目１４が、それぞれ上記長板１０を前板１５、ボックス底１６、後板１７、頂板１８、及び蓋板１９に分割し、二つの上記側板２０がそれぞれ上記ボックス底１６における対向する両側に設置され平行に設置する第５折り目２１及び第６折り目２２が形成され、上記側板２０には、第７折り目２３、第８折り目２４、第９折り目２５、及び第１０折り目２６が設けられ、上記第７折り目２３及び上記第８折り目２４が、上記側板２０の１側を第１接続部２７及び第２接続部２８に分割し、上記第２接続部２８が上記前板１５に接続され、上記第９折り目２５及び上記第１０折り目２６が、上記側板２０の他側を第３接続部２９及び第４接続部３０を分割し、上記第４接続部３０が上記後板１７に接続され、上記第１折り目１１、上記第２折り目１２、上記第３折り目１３、上記第４折り目１４、上記第５折り目２１、上記第６折り目２２、上記第７折り目２３、上記第８折り目２４、上記第９折り目２５、及び上記第１０折り目２６に沿って折り曲げることにより、上記前板１５、上記ボックス底１６、上記後板１７、上記頂板１８、上記蓋板１９、及び二つの側板２０を一つの封止するチャンバーを形成させる。
【００２０】
上記のパッケージボックスは、伝統包装の占められた空間が大きいこと、高い物流コスト及び出荷時の高い破損率等の欠点を克服した。通常の時で平らに置くことができ、使用する時に3次元のパッケージボックスを即座に合成して物品を収納し、折畳んで平にする方式により、物流輸送に便利で空間を節約できる。
【００２１】
長板１０と側板２０とは、紙、プラスチック、布、シート、木材、合成材料等の材料で作ってなり、好ましくは、側板２０は、厚板および薄紙、プラスチック、布、および様々な合成材料で作ってなる。
【００２２】
このパッケージボックスは、さまざまな工芸品、健康製品、食品、飲料、アルコール、電子機器、さまざまなギフト、お土産等の物品を包装するための専用パッケージボックスである。
【００２３】
図２及び図３を参照して、上記第７折り目２３が上記第９折り目２５に平行に設置し上記第５折り目２１に垂直に接続される。上記第８折り目２４は、上記側板２０が縁コーナに沿って折り曲げてなり、第７折り目２３に合わせて側板２０における１縁コーナを第１接続部２７及び第２接続部２８に分割し、上記第８折り目２４の１端が、上記第７折り目２３と上記第５折り目２１との接続部に接続される。好ましくは、上記第８折り目２４は、上記側板２０が縁コーナに沿う１３５度の折り目である。
【００２４】
更には、上記第１０折り目２６と上記第８折り目２４とが、上記側板２０の中心線を鏡像として対称的に設置される。上記第５折り目２１的延長線が、上記第１折り目１１に垂直に接続される。
【００２５】
更には、パッケージボックスは、長方形設置であってもよいがそれに限定されないが、例えば、パッケージボックスは、方形、正方形、台形等であってもよい。上記前板１５の寸法サイズは、上記後板１７、上記蓋板１９の寸法サイズと基本的に同様であり、上記ボックス底１６の寸法サイズは、上記頂板１８の寸法サイズと基本的に同様である。上記側板２０の幅は、上記前板１５の幅と等しく、上記側板２０の長さは、上記ボックス底１６の長さと等しい。本実施例において、前板１５、後板１７、蓋板１９、ボックス底１６、頂板１８、側板２０は、いずれも長方形設置である。
【００２６】
更には、前記第２接続部２８と前記前板１５との接続は、主に接着剤、磁石、ステッカー、面ファスナーの何れか一つを採用するがそれに限定されなく、好ましくは、前記第２接続部２８と前記前板１５との接続は、ステッカーにより接続されるがそれに限定されなく、前記第４接続部３０と前記後板１７との接続は、接着剤、磁石、ステッカー、面ファスナーの何れか一つを採用するがそれに限定されなく、二つの前記側板２０と前記ボックス底１６との接続は、接着剤、磁石、ステッカー、面ファスナーの何れか一つを採用するがそれに限定されない。
【００２７】
他の実施例において、上記蓋板１９が上記前板１５の前面に接続され、上記蓋板１９と上記前板１５との接続は、接着剤、磁石、ステッカー、接着剤バックルの何れか一つを採用するがそれに限定されない。好ましくは、前記蓋板１９と前記前板１５との接続は、磁石により接続される。この側板２０とボックス底１６との間にはフランジ４０をさらに有する。
【００２８】
上記の折畳み式パッケージボックスの構造は、簡単であり、輸送の過程において、このパッケージボックスは平面構造であり、パッケージボックスの空間利用率を向上することができ、パッケージボックスの輸送コストを大幅に低下させ、折畳み過程は簡単であり、効果がよく、パッケージボックスを使用する時に、3次元のパッケージボックスを即座に合成でき、物品を収納することに用い、同時に、パッケージボックス寸法は、収納している物品の寸法に応じてカスタマイズでき、パターン、ロゴ、その他の関連コンテンツを印刷することもできる。
【００２９】
以上の上記実施例の各技術的特徴を任意に組み合わせることができ、説明を簡単にするために、上記の実施例における各技術的特徴の全て可能な組み合わせを説明していないが、これらの技術的特徴の組み合わせに矛盾がない限り、本明細書に記載の範囲と見なすべきである。
【００３０】
以上の上記実施例には、本実用新案のいくつの実施態様を表してるだけであり、その説明より具体的かつ詳細であるが、本実用新案の特許範囲の制限として理解することができない。なお、本分野の通常の当業者にとって、本実用新案の構想から逸脱しないことを前提として、多くの変形および改善を行うことができ、それは、本実用新案の請求の範囲に属する。従って、本実用新案の特許の請求範囲は、添付の請求項に従うものとする。
【図１】
0003226785.tif 000002
【図２】
0003226785.tif 000003
【図３】
0003226785.tif 000004
【図４】
0003226785.tif 000005
【図５】
0003226785.tif 000006
【図６】
0003226785.tif 000007